(57)【要約】【課題】簡易な構成で、水などの異物がコネクタに付着することを抑制することが可能な電池パックを提供する。【解決手段】電池パック１は、本体２２の開口部２４を塞ぐ蓋２８を有するケース２０と、ケース２０に収容される電池モジュール１０と、を備える。電池モジュール１０は、複数の電池セル１１と、バスバー１５と、バスバーカバー１８と、複数の電池セル１１に関する信号を伝送する複数の信号線Ｌ１〜Ｌ６と、バスバーカバー１８上に設けられ、複数の信号線Ｌ１〜Ｌ６からの信号を受信する制御装置Ｅと、を含む。制御装置Ｅは、複数の信号線Ｌ１〜Ｌ６が接続されるコネクタＣ２を有する。バスバーカバー１８は、バスバー１５を覆うとともに制御装置Ｅを支持する本体部１８１と、コネクタＣ２と開口部２４との間に位置し、複数の信号線Ｌ１〜Ｌ６とコネクタＣ２との接続部分Ｐを覆うように、本体部１８１から延在する延在部１８３と、を有する。【選択図】図３
2018037186.tif 000002
【特許請求の範囲】
【請求項１】
開口部を有する本体及び前記本体の前記開口部を塞ぐ蓋を有するケースと、
前記ケースに収容される電池モジュールと、
を備え、
前記電池モジュールは、
複数の電池セルと、
前記複数の電池セルを互いに電気的に接続するバスバーと、
前記バスバーを覆うバスバーカバーと、
前記複数の電池セルに関する信号を伝送する複数の信号線と、
前記バスバーカバー上に設けられ、前記複数の信号線からの前記信号を受信する制御装置と、
を含み、
前記制御装置は、前記複数の信号線が互いに電気的に分離された状態で接続されるコネクタを有し、
前記バスバーカバーは、
前記バスバーを覆うとともに前記制御装置を支持する本体部と、
前記コネクタと前記開口部との間に位置し、前記複数の信号線と前記コネクタとの接続部分を覆うように、前記本体部から延在する延在部と、
を有する、
電池パック。
【請求項２】
前記信号は、前記複数の電池セルのそれぞれの電圧を監視するための信号である、
請求項１に記載の電池パック。
【請求項３】
前記コネクタは、前記制御装置の端面に設けられ、
前記制御装置の前記端面を正面からみたときに、前記延在部の先端は、前記端面の縁と前記接続部分側との間に位置している、
請求項１または２に記載の電池パック。
【請求項４】
前記延在部は、
前記本体部に接続され、前記コネクタと前記開口部との間に延在する第１の部分と、
前記第１の部分に接続され、前記コネクタ側に向かって延在する第２の部分と、
を含む、
請求項１〜３のいずれか１項に記載の電池パック。
【発明の詳細な説明】
【技術分野】
【０００１】
本発明は、電池パックに関する。
【背景技術】
【０００２】
従来より、複数の電池セルを含む電池モジュールと、電池モジュールを収容するケースとを備える電池パックが知られている。ケースは、開口部を有するケース本体と、ケース本体の開口部を塞ぐ蓋とを有する。
【０００３】
電池モジュールは、一般に、複数の電池セルを電気的に互いに接続するバスバーを備えている。例えば特許文献１では、バスバーを覆うカバー（バスバーカバー）の上に、電池モジュール用の制御装置を設けている。制御装置はコネクタを有しており、コネクタには複数の信号線が接続される。
【先行技術文献】
【特許文献】
【０００４】
【特許文献１】特開２０１６−９６６３号公報
【発明の概要】
【発明が解決しようとする課題】
【０００５】
水などの異物がケース内に侵入し、制御装置のコネクタに付着すると、例えば信号線同士が短絡する等の問題が生じるおそれがある。防水用コネクタを用いることも考えられるが、その分構成が複雑になり、コストも掛かる。
【０００６】
本発明の一側面は、簡易な構成で、水などの異物がコネクタに付着することを抑制することが可能な電池パックを提供することを目的とする。
【課題を解決するための手段】
【０００７】
本発明の一側面に係る電池パックは、開口部を有する本体及び本体の開口部を塞ぐ蓋を有するケースと、ケースに収容される電池モジュールと、を備え、電池モジュールは、複数の電池セルと、複数の電池セルを互いに電気的に接続するバスバーと、バスバーを覆うバスバーカバーと、複数の電池セルに関する信号を伝送する複数の信号線と、バスバーカバー上に設けられ、複数の信号線からの信号を受信する制御装置と、を含み、制御装置は、複数の信号線が互いに電気的に分離された状態で接続されるコネクタを有し、バスバーカバーは、バスバーを覆うとともに制御装置を支持する本体部と、コネクタと開口部との間に位置し、複数の信号線とコネクタとの接続部分を覆うように、本体部から延在する延在部と、を有する。
【０００８】
上記の電池パックでは、開口部を有する本体及び本体の開口部を塞ぐ蓋を有するケースに、電池モジュールが収容される。ここで、例えば、ケースの蓋をケースの本体から取り外し、本体の開口部が上方を向いた状態で、電池パックの製造またはメンテナンス等を行う場合があり得る。その際、水などの異物が落下する等によって、開口部を介して異物がケース内に侵入し、複数の信号線と制御装置のコネクタとの接続部分に付着する可能性がある。上記の電池パックでは、バスバーカバーが、バスバーを覆うとともに制御装置を支持する本体部と、コネクタと開口部との間に位置し、複数の信号線とコネクタとの接続部分を覆うように、本体部から延在する延在部と、を有する。そのため、仮に異物が開口部を介してケース内に侵入したとしても、異物は、バスバーカバーの延在部に付着するだけで、複数の信号線とコネクタとの接続部分には到達しない。よって、水などの異物がコネクタに付着することを抑制することができる。また、バスバーカバーが延在部を有する構成とするだけでよいので、例えば防水用コネクタを用いる場合よりも、構成を簡素化することができる。
【０００９】
信号は、複数の電池セルのそれぞれの電圧を監視するための信号であってもよい。この場合、コネクタに異物が付着して複数の信号線同士が短絡すると、複数の電池セル同士が信号線を介して電気的に接続され、大電流が流れてしまう可能性がある。上述の電池パックによれば、このような問題が生じることを抑制できる。
【００１０】
コネクタは、制御装置の端面に設けられ、制御装置の端面を正面からみたときに、延在部の先端は、端面の縁と接続部分側との間に位置していてもよい。これにより、延在部で接続部分を覆いつつ、延在部の長さが必要以上に長くなることを防ぐことができる。
【００１１】
延在部は、本体部に接続され、コネクタと開口部との間に延在する第１の部分と、第１の部分に接続され、コネクタ側に向かって延在する第２の部分と、を含んでもよい。このように延在部が第１の部分及び第２の部分の２つの部分で複数の信号線とコネクタとの接続部分を覆うことによって、異物のコネクタへの付着の抑制効果を高めることができる。
【発明の効果】
【００１２】
本発明の一側面によれば、簡易な構成で、水などの異物がコネクタに付着することを抑制することが可能な電池パックが提供される。
【図面の簡単な説明】
【００１３】
【図１】実施形態に係る電池パックの概略構成を示す斜視図である。
【図２】電池モジュールの概略構成を示す分解斜視図である。
【図３】電池モジュールの概略構成を示す図である。
【図４】変形例に係る電池パックに含まれる電池モジュールの概略構成を示す図である。
【図５】別の変形例に係る電池パックに含まれる電池モジュールの概略構成を示す分解斜視図である。
【発明を実施するための形態】
【００１４】
以下、図面を参照しながら、本発明の実施形態を説明する。図面の説明において、同一又は同等の要素には同一の符号を用い、重複する説明は省略する。図には、ＸＹＺ直交座標系が示される。例えば、Ｚ軸正方向は鉛直上方向を示し、Ｚ軸負方向は鉛直下方向を示していてよい。以下の説明では、「上」は鉛直上方を示し、「下」は鉛直下方を示すものとする。
【００１５】
図１は、実施形態に係る電池パックの概略構成を示す斜視図である。電池パック１は、複数の電池モジュール１０と、ケース２０とを備えている。電池モジュールの数はとくに限定されない。電池パック１は、例えば、フォークリフト、ハイブリッド自動車、電気自動車等の車両に搭載される。
【００１６】
電池モジュール１０は、複数の電池セル１１（後述の図２、３参照）を含む。電池セル１１は、例えばニッケル水素二次電池、リチウムイオン二次電池等の二次電池であってよい。電池モジュール１０では、それら複数の電池セル１１同士が後述のバスバー１５によって電気的に接続されている。本実施形態では、各電池モジュール１０に含まれる電池セル１１の数は６個である。ただし、電池モジュール１０に含まれる電池セル１１の数はこれに限定されない。
【００１７】
ケース２０は、電池モジュール１０を収容する。具体的に、ケース２０は、本体２２と、蓋２８とを有している。本体２２は上部に開口部２４を有しており、蓋２８は、開口部２４を塞いでいる。図１に示される例では、蓋２８は、水平方向（ＸＹ平面）に延在している。本体２２は、蓋２８に対向する側壁部２２ａを有している。各電池モジュール１０は、例えば本体２２の側壁部２２ａ上に固定されている。側壁部２２ａから見て、開口部２４は、上方（Ｚ軸正方向）に位置している。
【００１８】
本体２２は、本体２２の側壁部２２ａの縁部から上方向に延在する側壁部２２ｂ、２２ｃ、２２ｄ、２２ｅを更に有している。側壁部２２ｂ及び側壁部２２ｃは、互いに対向するようにＸＺ平面に延在している。側壁部２２ｄ及び側壁部２２ｅは、互いに対向するようにＹＺ平面に延在している。側壁部２２ｄ及び側壁部２２ｅは、側壁部２２ｂ及び側壁部２２ｃを繋いでいる。ケース２０は、全体として概ね直方体状の外形形状を有している。ケース２０の材質の例は金属であり、例えば鉄である。
【００１９】
図２は、電池モジュールの概略構成を示す分解斜視図である。この電池モジュールは、図１に示される６個の電池モジュール１０のうちの、側壁部２２ｂと側壁部２２ｅとのコーナー部分に設けられた電池モジュール１０である。図３は、電池モジュールの概略構成を示す図であり、バスバーカバー１８（後述）が取り付けられた状態を模式的に示す。
【００２０】
電池モジュール１０は、複数の電池セルユニット１２と、バスバー１５と、バスバーカバー１８と、複数の信号線Ｌ１〜Ｌ６と、制御装置Ｅとを含んでいる。
【００２１】
複数の電池セルユニット１２は並設されており、各電池セルユニット１２は、電池セル１１と、電池セル１１を保持するセルホルダ１３と、一対の端子１４、１４とを有している。複数の電池セルユニット１２は、一対のエンドプレート１６、１６により拘束されている。一対のエンドプレート１６、１６には、一方のエンドプレート１６から他方のエンドプレート１６に向かって延びる４本のボルト１６ａ、１６ｂ、１６ｃ、１６ｄが挿通され、他方のエンドプレート１６においてナットに螺合されている。一対のエンドプレート１６、１６の各々は、固定部材１７によって、例えば本体２２の側壁部２２ａに固定される。
【００２２】
セルホルダ１３は、例えば樹脂製の枠体である。セルホルダ１３は、対応する電池セル１１の側面のうち、複数の電池セル１１の並設方向（Ｙ軸方向）に対して交差する側面（ＸＺ平面に延在する側面）が露出するように、電池セル１１を保持する。セルホルダ１３は、底壁部１３１と、側壁部１３２と、側壁部１３３とを有している。底壁部１３１は、電池セル１１を挟んで一対の端子１４、１４及びバスバー１５等とは反対側から、電池セル１１を支持する。側壁部１３２及び側壁部１３３は、互いに電池セル１１を挟み込むように、底壁部１３１の両縁部からそれぞれ延在する一対の側壁部である。側壁部１３２及び側壁部１３３のうち、側壁部１３３は上方（開口部２４側）に位置し、側壁部１３２は下方（側壁部２２ａ側）に位置している。
【００２３】
側壁部１３２及び側壁部１３３の延在方向（Ｘ軸方向）の長さは、電池セル１１の長さよりも長い。側壁部１３２の先端部分には、突起部１３２ａが設けられている。突起部１３２ａは、セルホルダ１３の内側（上方向）に向かって突出している。同様に、側壁部１３３の先端部分には、突起部１３３ａが設けられている。突起部１３３ａは、セルホルダ１３の内側（下方向）に向かって突出している。
【００２４】
一対の端子１４、１４は、電池セル１１の電力を電池セルユニット１２の外部に取り出すための端子である。一対の端子１４、１４のうち、一方の端子１４は正極端子であり、他方の端子１４は負極端子である。
【００２５】
バスバー１５は、複数の電池セル１１を互いに電気的に接続する導電部材である。バスバー１５は、各電池セル１１の端子１４同士を電気的に接続している。バスバー１５は、複数の電池セル１１が直列接続されるように各端子１４を接続してもよいし、複数の電池セル１１が並列接続されるように各端子１４を接続してもよい。
【００２６】
バスバーカバー１８は、バスバー１５を覆う部材であり、並設された複数の電池セルユニット１２に取り付けられる。バスバーカバー１８は、セルホルダ１３の内側、より具体的にはセルホルダ１３の側壁部１３２と側壁部１３３との間に位置するように、各電池セルユニット１２の端子１４上に設けられる。例えばケース２０内において複数の電池モジュール１０が積層するように配置された場合、バスバーカバー１８は、隣り合う電池モジュール１０同士を電気的に絶縁する。バスバーカバー１８の材質の例は、ポリアミド６６（「６６ナイロン」とも称される）である。バスバーカバー１８の詳細については後述する。
【００２７】
信号線Ｌ１〜Ｌ６は、複数の電池セル１１に関する信号を伝送する。信号の例は、複数の電池セル１１のそれぞれの電圧を監視するための信号、複数の電池セル１１のそれぞれの温度を監視するための信号、またはリレー（不図示）を制御するための信号である。本実施形態では、信号線Ｌ１〜Ｌ６の各々が、対応する電池セル１１の電圧を監視するための信号をそれぞれ伝送するものとする。そのような信号は、例えば、信号線Ｌ１〜Ｌ６と、対応する電池セル１１を含む電池セルユニット１２の端子１４とを電気的に接続することによって取得される。信号線Ｌ１〜Ｌ６は、互いに電気的に分離された状態で、接続端子Ｃ１に保持されている。接続端子Ｃ１は、後述のコネクタＣ２に接続される。なお、信号線の数は、電池モジュール１０に含まれる電池セル１１の数、及び／又は信号の種類の数等に応じて適宜変更され得る。
【００２８】
制御装置Ｅは、バスバーカバー１８上に設けられ、上述の複数の信号線Ｌ１〜Ｌ６からの信号を受信する。制御装置Ｅは、ケース１９と、基板Ｂと、コネクタＣ２とを有している。ケース１９は、例えば略矩形形状の外形を有しており、基板Ｂを収容している。例えばコネクタＣ２を介して上述の信号線Ｌ１〜Ｌ６から送られる信号を処理するために、種々の電子部品等が基板Ｂに実装され得る。コネクタＣ２は、制御装置Ｅの端面１９１に設けられている。端面１９１は、ケース１９の端面でもある。端面１９１は、セルホルダ１３の側壁部１３３に対向するように（開口部２４の開口面に対向するように）、ＸＹ平面に延在している。コネクタＣ２において、接続端子Ｃ１が接続される先端部分は、ケース１９外に位置している。当該先端部分とは反対側の部分は、ケース１９内に位置しており、基板Ｂに接続されている。つまり、コネクタＣ２は、基板Ｂに実装される部品の一つでもある。コネクタＣ２は、先端部分が開口部２４に向かうように（側壁部１３３に向かうように）配置されている。コネクタＣ２に接続端子Ｃ１が接続されると、複数の信号線Ｌ１〜Ｌ６が、互いに電気的に分離された状態でコネクタＣ２に接続される。複数の信号線Ｌ１〜Ｌ６とコネクタＣ２との接続部分を、接続部分Ｐを称し図示する。
【００２９】
再びバスバーカバー１８について説明する。バスバーカバー１８は、本体部１８１と、本体部１８１から延在する延在部１８２及び延在部１８３とを有している。本体部１８１は、バスバー１５を覆うとともに、制御装置Ｅを支持する。本体部１８１は、例えば平板形状を有しており、電池セルユニット１２の一対の端子１４、１４上に配置される。本体部１８１の両縁部は、セルホルダ１３の側壁部１３２及び側壁部１３３に接触していてもよい。延在部１８２及び延在部１８３は、本体部１８１に接続され、本体部１８１の両縁部から、電池セル１１とは反対側（Ｘ軸正方向）にそれぞれ延在している。延在部１８２は、セルホルダ１３の側壁部１３２に接触していてもよい。延在部１８３は、セルホルダ１３の側壁部１３３に接触していてもよい。延在部１８２の先端１８２ａは、側壁部１３２の突起部１３２ａに当接している。延在部１８３の先端１８３ａは、側壁部１３３の突起部１３３ａに当接している。突起部１３２ａ及び突起部１３３ａがストッパとして機能することにより、並設された電池セルユニット１２へのバスバーカバー１８の取り付けが固定される。
【００３０】
延在部１８３は、コネクタＣ２と開口部２４との間に位置し、複数の信号線Ｌ１〜Ｌ６とコネクタＣ２との接続部分Ｐを覆うように、本体部１８１から延在する。制御装置Ｅの端面１９１を正面からみたときに（Ｚ軸負方向でみたときに）、延在部１８３の先端１８３ａは、端面１９１の縁１９１ａと、接続部分Ｐとの間に位置している。
【００３１】
以上説明した電池パック１では、開口部２４を有する本体２２及び本体２２の開口部２４を塞ぐ蓋２８を有するケース２０に、各電池モジュール１０が収容される。ここで、例えば、ケース２０の蓋２８をケース２０の本体２２から取り外し、本体２２の開口部２４が上方を向いた状態、つまり開口部２４の開口面の面方向が水平方向（ＸＹ面方向）となっている状態で、電池パック１の製造またはメンテナンス等を行う場合があり得る。その際、水などの異物が落下する等によって、開口部２４を介して異物がケース２０内に侵入し、複数の信号線と制御装置のコネクタとの接続部分に付着する可能性がある。ここで、電池パック１では、バスバーカバー１８が、バスバー１５を覆うとともにコネクタＣ２を支持する本体部１８１と、コネクタＣ２と開口部２４との間に位置し、複数の信号線Ｌ１〜Ｌ６とコネクタＣ２との接続部分Ｐを覆うように、本体部１８１から延在する延在部１８３と、を有する。そのため、仮に異物が開口部２４を介してケース２０内に侵入したとしても、異物は、バスバーカバー１８の延在部１８３に付着するだけで、接続部分Ｐには到達しない。よって、水などの異物がコネクタＣ２に付着することを抑制することができる。なお、延在部１８３の外側にセルホルダ１３の側壁部１３３も配置されているので、当該側壁部１３３によって異物の接続部分Ｐへの付着が防止されるとも考えられるが、並設された各電池セルユニット１２のセルホルダ１３同士の隙間を通って異物がセルホルダ１３の内側に侵入する可能性がある。そのような異物があったとしても、当該異物は、上述のとおり、バスバーカバー１８の延在部１８３に付着するだけで接続部分Ｐには到達しない。また、電池パック１によれば、バスバーカバー１８が延在部１８３を有する構成とするだけでよいので、例えばコネクタＣ２に防水用コネクタを用いる場合よりも、構成を簡素化することができる。
【００３２】
信号線Ｌ１〜Ｌ６が伝送する信号は、複数の電池セル１１のそれぞれの電圧を監視するための信号であってもよい。この場合、コネクタＣ２に異物が付着して複数の信号線Ｌ１〜Ｌ６同士が短絡すると、複数の電池セル１１同士が信号線Ｌ１〜Ｌ６を介して電気的に接続され、大電流が流れてしまう可能性がある。電池パック１によれば、このような問題が生じることを抑制することができる。ここで、信号線Ｌ１〜Ｌ６が伝送する信号が例えば複数の電池セル１１のそれぞれの温度を監視するための信号である場合には、複数の信号線Ｌ１〜Ｌ６同士が短絡したとしても、各電池セル１１に対応する温度監視手段（例えばサーミスタの端子）同士が短絡するだけで、大きな電流が流れることはない。このような点で、各信号が複数の電池セル１１のそれぞれの電圧を監視するための信号である場合には、例えば各信号が複数の電池セル１１のそれぞれの温度を監視するための信号である場合と比較して、電池パック１による異物のコネクタＣ２への付着の抑制効果がさらに有利なものとなる。
【００３３】
コネクタＣ２は、制御装置Ｅの端面１９１に設けられ、制御装置Ｅの端面１９１を正面からみたときに、延在部１８３の先端１８３ａは、端面１９１の縁１９１ａと、接続部分Ｐとの間に位置していてもよい。これにより、延在部１８３で接続部分Ｐを覆いつつ、延在部１８３の長さが必要以上に長くなることを防ぐことができる。延在部１８３の長さを抑えることで、延在部１８３の先端１８３ａに当接する突起部１３３ａを有する側壁部１３３の長さも、必要以上に長くなることを防ぐことができる。
【００３４】
以上、本発明の一実施形態について説明したが、本発明は上記実施形態に限定されるものではない。
【００３５】
図４は、変形例に係る電池パックに含まれる電池モジュールの概略構成を示す図である。この変形例に係る電池パックに含まれる電池モジュール１０Ａは、電池モジュール１０（図３）と比較して、バスバーカバー１８に替えてバスバーカバー１８Ａを含む点において相違する。電池モジュール１０Ａの他の部分は電池モジュール１０の対応する部分と同様である。また、バスバーカバー１８Ａは、バスバーカバー１８と比較して、延在部１８３に替えて延在部１８３Ａを有する点において相違する。バスバーカバー１８Ａの他の部分はバスバーカバー１８の対応する部分と同様である。延在部１８３Ａは、第１の部分１８３Ａ１と、第２の部分１８３Ａ２とを含んでいる。第１の部分１８３Ａ１は、延在部１８３（図３）と同様に、本体部１８１に接続され、コネクタＣ２と開口部２４との間に延在する。第１の部分１８３Ａ１の先端１８３ａは、側壁部１３３の突起部１３３ａに当接している。第２の部分１８３Ａ２は、第１の部分１８３Ａ１の先端部を基端とし、コネクタＣ２側に向かって延在している。第２の部分１８３Ａ２は、Ｚ軸方向に延在してもよいし、Ｚ軸方向に対してある程度の傾きを有して延在していてもよい。第２の部分１８３Ａ２は、屈曲形状を有していてもよい。第２の部分１８３Ａ２の先端１８３Ａ２ａは、接続部分Ｐよりも下方（Ｚ軸負方向）に位置していてもよい。ただし、先端１８３Ａ２ａの位置（第２の部分１８３Ａ２の長さ）はとくに限定されない。延在部１８３Ａは、例えば図３に示される延在部１８３の先端部分を折り曲げることによって作られてもよい。
【００３６】
このように延在部１８３Ａが第１の部分１８３Ａ１及び第２の部分１８３Ａ２の２つの部分で接続部分Ｐを覆うことによって、異物のコネクタＣ２への付着の抑制効果を高めることができる。つまり、第１の部分１８３Ａ１によって接続部分Ｐを上方から覆うだけでなく、第２の部分１８３Ａ２によって接続部分Ｐを斜め上方からも覆うことができる。第２の部分１８３Ａ２の先端１８３Ａ２ａが接続部分Ｐよりも下方（Ｚ軸負方向）に位置している場合には、接続部分Ｐを側方から覆うこともできる。
【００３７】
図５は、別の変形例に係る電池パックに含まれる電池モジュールの概略構成を示す図である。この変形例に係る電池モジュール１０Ｂは、電池モジュール１０（図２）と比較して、バスバーカバー１８に代えてバスバーカバー１８Ｂ１、バスバーカバー１８Ｂ２及びバスバーカバー１８Ｂ３の３つのバスバーカバーを含む点において相違する。電池モジュール１０Ｂの他の部分は電池モジュール１０の対応する部分と同様である。上述の３つのバスバーカバーのうち、バスバーカバー１８Ｂ１上に、制御装置Ｅが設けられている。バスバーカバー１８Ｂ１の役割は、バスバーカバー１８と同様であり、バスバー１５を覆うとともに制御装置Ｅを支持する。バスバーカバー１８Ｂ１は、本体部１８１Ｂ１と、本体部１８１Ｂ１から延在する延在部１８２Ｂ１及び延在部１８２Ｂ２を有している。本体部１８１Ｂ１、延在部１８２Ｂ１及び延在部１８３Ｂ１の機能は、本体部１８１、延在部１８２及び延在部１８３（図３）と同様である。延在部１８３Ｂ２は、延在部１８３（図３）と同様に、コネクタＣ２と開口部２４との間に位置し、複数の信号線Ｌ１〜Ｌ６とコネクタＣ２との接続部分Ｐを覆うように、本体部１８１Ｂ１から延在している。
【００３８】
バスバーカバー１８Ｂ２及びバスバーカバー１８Ｂ３は、バスバーカバー１８Ｂ１によって覆われるバスバー１５以外のバスバー１５を覆う。バスバーカバー１８Ｂ２及びバスバーカバー１８Ｂ３は、制御装置Ｅが設けられていない点を除き、バスバーカバー１８Ｂ１と同様の構成であってよい。ただし、電池セルユニット１２の並設方向（Ｙ軸方向）において、バスバーカバー１８Ｂ１、バスバーカバー１８Ｂ２及びバスバーカバー１８Ｂ３の長さは、異なっていてもよい。このように複数のバスバーカバー１８Ｂ１、バスバーカバー１８Ｂ２及びバスバーカバー１８Ｂ３を用いた場合でも、制御装置Ｅが設けられたバスバーカバー１８Ｂ１を、バスバーカバー１８と同様の構成とすることによって、水などの異物が制御装置ＥのコネクタＣ２に付着することを抑制することができる。
【００３９】
なお、バスバーカバー１８Ｂ１を、バスバーカバー１８Ａ（図４）と同様に、本体部に接続されコネクタＣ２と開口部２４との間に延在する第１の部分と、第１の部分に接続され、コネクタＣ２側に向かって延在する第２の部分とを含むように構成してもよい。
【００４０】
上記実施形態では、制御装置Ｅの端面１９１を正面からみたときに（Ｚ軸負方向でみたときに）、延在部１８３の先端１８３ａが端面１９１の縁１９１ａと接続部分Ｐとの間に位置している例について説明した。ただし、延在部１８３の先端１８３ａは、縁１９１ａの外側（Ｘ軸正方向側）に位置していてもよい。
【００４１】
上述の電池モジュール１０Ｂ（図５）の例では、３つのバスバーカバーを用いる例、換言すればバスバーカバーが３つに分割されている例について説明したが、バスバーカバーの分割の数は２であってもよいし、４以上であってもよい。
【符号の説明】
【００４２】
１…電池パック、１０…電池モジュール、１１…電池セル、１５…バスバー、１８、１８Ａ、１８Ｂ１…バスバーカバー、２０…ケース、２４…開口部、２８…蓋、１８１、１８１Ｂ１…本体部、１８３、１８３Ａ、１８３Ｂ１…延在部、１８３ａ…先端、１８３Ａ１…第１の部分、１８３Ａ２…第２の部分、１９１…端面、１９１ａ…縁、Ｃ２…コネクタ、Ｅ…制御装置、Ｌ１〜Ｌ６…信号線、Ｐ…接続部分。
【図１】
2018037186.tif 000003
【図２】
2018037186.tif 000004
【図３】
2018037186.tif 000005
【図４】
2018037186.tif 000006
【図５】
2018037186.tif 000007